(57)【要約】      （修正有）【課題】炎天下等の作業で使用するヘルメット等の内部温度上昇を抑制して熱中症予防に効果的で、かつ誰でも簡単に貼付けできるようにした頭部保護用防熱シートを提供する。【解決手段】頭部を覆う帽子や笠やインナーキャップを含むヘルメットａの内側および外側の少なくとも一方に貼り付ける頭部保護用防熱シートであって、電磁波である輻射熱を遮断する輻射熱遮断シートであり、一枚または複数に分割された一組のシートブロックｂ１、ｂ２、ｃ１、ｃ２からなり、片面に粘着剤を塗布または両面テープが貼り付けられ、端部の少なくても二か所以上に切り込みが設けられている。【選択図】図５
0003213610.tif 000002
【実用新案登録請求の範囲】
【請求項１】
ヘルメット等の内側および外側の少なくとも一方に貼り付ける頭部保護用防熱シート。
【請求項２】
前記防熱シートは電磁波である輻射熱を遮断する輻射熱遮断シートであることを特徴とする請求項１記載の頭部保護用防熱シート。
【請求項３】
前記防熱シートは複数に分割された一組のシートブロックからなることを特徴とする請求項１又は２記載の頭部保護用防熱シート。
【請求項４】
前記防熱シートの片面に粘着剤を塗布または両面テープを貼り付けたことを特徴とする請求項１乃至３記載の頭部保護用防熱シート。
【請求項５】
前記防熱シートの端部の少なくても二か所以上に切り込みを設けたことを特徴とする請求項１乃至４記載の頭部保護用防熱シート。
【考案の詳細な説明】
【技術分野】
【０００１】  本考案はヘルメット等に貼り付けて頭部の温度上昇を抑制する頭部保護用防熱シートに関するものである。なお、本考案において、「ヘルメット等」とは頭部を覆う帽子や笠やインナーキャップ等を含めるものとする。
【背景技術】
【０００２】  従来から防熱素材は知られているが、これらは建築資材として用いられるものである。すなわち、比較的面積が大きい防熱素材を貼付け施工技能者が粘着剤を刷毛で塗布し家屋の壁に貼り付けるものであった。
【先行技術文献】
【特許文献】
【０００３】
【特許文献１】特開２０１４−４３７６２号
【考案の概要】
【考案が解決しようとしている課題】
【０００４】  ところで、炎天下での作業が余儀なくされる現場においては、熱中症による死亡事故が社会問題となっている。
【０００５】  平成２７年の職場での熱中症による死傷者（死亡・休業４日以上）は４６４人で建設業が最も多く１１人、次いで警備業で７人発生しており、この２業種で全体の約６割を占めている。（労働基準局安全衛生部労働衛生課）これは、両業種が炎天下での作業時間が他の産業よりも比較的長い事が要因である。
【０００６】  工事現場等の作業者はヘルメットを装着して作業を行うが、炎天下ではヘルメット内の温度が上昇するものである。この温度上昇する要因としては伝導・対流・輻射の三つがある。伝導・対流はヘルメット素材である樹脂が温まり、次いで空気層を温め頭部に至る熱の伝わり方である。一方、電磁波である輻射熱はヘルメットを突き抜けて直接人間の頭で熱となる。炎天下での防熱はこの輻射熱を遮断する事が重要である。
【０００７】  住宅や工場の壁や屋根に使われる前記の防熱素材として輻射熱遮断シートが使われており効果があることが知られているが（特許文献１）、ヘルメット等に使用するものでなかった。
本考案は、誰でも簡単にヘルメット等に貼付けることができ、頭部の温度上昇を抑制する頭部保護用防熱シートを提供することを目的とする。
【課題を解決するための手段】
【０００８】  請求項１の考案はヘルメット等の内側および外側の少なくとも一方に貼り付ける頭部保護用防熱シートであることを特徴とする。
【０００９】  請求項２の考案の前記防熱シートは電磁波である輻射熱を遮断する輻射熱遮断シートであることを特徴とする請求項１記載の頭部保護用防熱シートであることを特徴とする。
【００１０】  請求項３の考案の前記防熱シートは複数に分割された一組のシートブロックからなることを特徴とする請求項１又は２記載の頭部保護用防熱シートであることを特徴とする。
【００１１】  請求項４の考案の前記防熱シートの片面に粘着剤を塗布または両面テープを貼り付けたことを特徴とする請求項１乃至３記載の頭部保護用防熱シートであることを特徴とする。
【００１２】  請求項５の考案の前記防熱シートの端部の少なくても二か所以上に切り込みを設けたことを特徴とする請求項１乃至４記載の頭部保護用防熱シートであることを特徴とする。
【考案の効果】
【００１３】  請求項１の考案は、ヘルメット等の内側および外側の少なくとも一方に頭部保護用防熱シートを貼り付けることでヘルメット内の温度上昇を抑えることが出来る効果がある。
【００１４】  請求項２の考案は、の前記防熱シートに電磁波である輻射熱を遮断する輻射熱遮断シートを用いることで炎天下での主たるヘルメット内の温度上昇の要因である輻射熱を大幅に遮断する事が出来る効果がある。
【００１５】  請求項３の考案は、前記防熱シートが複数に分割された一組のシートブロックからなることで球体であるヘルメット等に材料無駄が少なく貼る事ができる効果がある。
【００１６】  請求項４の考案は、前記防熱シートの片面に粘着剤を塗布または両面テープを貼り付けたことで誰でも簡単にヘルメット等に貼り付ける事ができる効果がある。
【００１７】  請求項５の考案は、前記防熱シートの端部の少なくても二か所以上に切り込みを設けたことでヘルメット等の内側に皺や隙間の発生を少なく貼る事ができる効果がある。
【図面の簡単な説明】
【００１８】
【図１】本考案の頭部保護用防熱シートの第一の実施例を示すもので、防熱シートをヘルメット外側に貼り付けた状態を示す断面図である。
【図２】本考案の頭部保護用防熱シートの第二の実施例を示す図である。
【図３】図２に示した防熱シートを笠の内側に貼り付けた状態を示す斜視図である。
【図４】本考案の頭部保護用防熱シートの第三の実施例を示す図である。
【図５】図４に示した防熱シートをヘルメットの内側に貼付けた状態を示す図である。
【図６】本考案の頭部保護用防熱シートの第四の実施例を示す図である。
【図７】図６に示した防熱シートをヘルメットの外側に貼付けた状態を示す図である。
【図８】本考案の頭部保護用防熱シートの第五の実施例を示す図である。
【図９】図８に示した防熱シートをヘルメットの内側に貼付けた状態を示す図である。
【考案を実地するための形態】
【００１９】  以下、添付図面に従って本考案の防熱シートの一実施例を説明する。
【実施例】
【００２０】  図１に示すものでは、ヘルメットａの外側の表面積より大きな一枚の防熱シートｂを用意し、ヘルメット外側の形状に合わせて常温または加温プレス成型し、該シートｂの外周部をヘルメットａの外周形状に合わせてカットしたものを、ヘルメットａの外側に貼るようにしたものである。なお、図１のものに代えて、防熱シートｂを、ヘルメットａの内側に貼るようにしてもよい。この場合、防熱シートｂをヘルメット内側外周部面積よりも少ない面積で上記の成型を行うことにより、防熱シートｂの外周部のカット工程を無くすこともできる。【００２１】  本考案による頭部保護用防熱シートは、ヘルメットに限らないものであり、笠、帽子、インナーキャップ等の頭部を覆うものについても適用できるものである。笠を対象にした場合の該防熱シートの構造としては、例えば図２に示すように、長手方向４０ｃｍ、短方向３５ｃｍの長方形の長手方向の中心に折り目を付けた笠状の防熱シートとなる。そして、このシートｂを、図３に示すような笠の内側に貼付けることにより、高性能な日差し除けにすることもできる。なお、該シートｂは日差し除け母材の外側に設けることもできる。また、防熱シートｂは特許文献１のような構造で、輻射熱遮断機能を有するシートを用いる事が出来る。【００２２】  ヘルメット等の内側または外側またはその両面に貼る防熱シートｂを複数のシートブロックの組合せで構成するものについて説明する。この場合には、異形状と同一形状のシートブロック又はこれらの組合せが考えられる。異形状と同形状のシートブロックの組合せのものを図４に示す。それぞれ長方形状の２枚のシートブロックｂ１，ｂ２と、それぞれ凸形状で左右対称の２枚で１組のシートブロックｃ１，ｃ２とからなる。【００２３】  ブロックシートｃ１，ｃ２を凸形状としたのは頭の側面の形に対応させるためである。これらの組合せにより曲面であるヘルメット等の壁面にシート材料の無駄がなく均一に貼る事が出来る。図５にヘルメットの内側に貼付けた状態を示す。【００２４】  他の構造としては、ヘルメット等の空気孔に対応して防熱シートｂに穴や切り込みを設けることもできる。また、防熱シートｂの貼付け後に、該シートにヘルメットの空気孔に応じて穴をあける事も可能である。【００２５】  防熱シートｂとして、同一形状の複数のシートブロックの組合せで構成することもでき、この場合の実施例を図６に示す。三角形や紡錘形の真ん中の太い部分で半分にカットした形状のシートブロックを多数枚用意してヘルメット等の内側に貼るつけることもできる。図６の防熱シートｂ（シートブロック）をヘルメットａの外側に貼り付けた状態を示す実施例を図７に示す。【００２６】  他には、防熱シートｂとして、幅が例えば４ｃｍ、長さが例えば８ｃｍの長方形のシートブロックを多数枚用意し、それをヘルメット等に貼るようにすることもできる。また、防熱シートｂとして、図８に示すようなテープ状とし、図９に示すように、このテープ状の防熱シートｂを、ヘルメット等に貼る際に所定長さで適宜切って使用するようにしてもよい。【００２７】  防熱シートｂをヘルメット等に誰もが手軽に、容易に貼り付ける事が出来る構造としては、防熱シートｂの片面に粘着��と剥離紙をあらかじめ貼り付けた構成が考えられる。製造方法は防熱シートの片面にアクリル系粘着剤を塗布しながら、剥離紙を適度な圧力を加えながら巻き取る方法で粘着剤と剥離紙が該シートと一体化させることが出来る。【００２８】ヘルメット等の内側または外側またはその両面に貼る防熱シートにおいて、曲面に貼る時に生じる皺や隙間を防止するようにした実施例について説明する。図４に示す長方形状の２枚のシートブロックｂ１，ｂ２と、それぞれ凸形状で左右対称の２枚で１組のシートブロックｃ１，ｃ２において、長方形シートブロックｂ１，ｂ２のそれぞれ長辺側両サイドには外側から内側に向けて幅方向に切り込みｄ１が設けられている。また、凸形状のシートブロックｃ１，ｃ２の長辺側直線状の両サイドにも外側から内側に向けて切り込みｄ２が設けられている。これらの切り込みにより人間の頭部を覆う曲面の構造物であるヘルメット等の曲壁面に貼り付ける時、皺や隙間の発生を少なくすることができる。
なお、各シートブロックｂ１，ｂ２，ｃ１，ｃ２の大きさや切り込みｄ１，ｄ２の本数、長さは対象とするヘルメット等の大きさ、形に応じて変えることができる。ここで、シートブロックｂ１，ｂ２，ｃ１，ｃ２として、例えば前記特許文献１に開示されているような遮熱板材やアルミニウム薄膜シートと不織布シートを積層したものを用いることができる。しかし、本考案はこれに限定されるものではなく、輻射熱反射機能を有するものであればよい。なお、各シートブロックｂ１，ｂ２，ｃ１，ｃ２の裏面には粘着剤を塗布した粘着シートが貼り付けられている。【００２９】  図５はヘルメットの内側から見た図面でａはヘルメット、ｂ１は図４のｂ１、ｂ２は図４のｂ２、ｃ１は図４のｃ１、ｃ２は図４のｃ２でそれぞれをヘルメット裏面に貼った状態を示す。これら防熱シートは球面であるヘルメットの内面に隙間なく貼付けできるようにした外形である。【００３０】    図５を参照して、図４に示したシートブロックｂ１，ｂ２，ｃ１，ｃ２をヘルメット等の内側にどのように貼り付けていくかを詳しく説明する。それぞれ長方形状の２枚のシートブロックｂ１，ｂ２のうち、先ずｂ１をヘルメットａ内面の頂点を起点に日差し除け側に向けて貼り付ける。同様に、ｂ２を該頂点を起点にヘルメットａの後側に向けて貼り付ける。それぞれ長方形状の２枚のシートブロックｂ１，ｂ２の貼り付け後の両サイドの外形は弓形線となる。次に、それぞれ凸形状で左右対称の２枚で１組のシートブロックｃ１，ｃ２のうちのｃ１を、その凸形状上側の短い方の辺部分が前記弓形線の左右どちらかに沿うようにし、かつ、該凸形状右上角、左上角の両方の窪みが前記長方形の日除け側と後方側の角部に嵌合する様に貼り付ける。次にｃ２をシートブロックｃ１の反対側に同様に貼り付ける。これは球面であるヘルメット等の内面に隙間なく貼付けできるようにした手順である。【００３１】  図４に示した防熱シートｂを図５のようにヘルメットａの内側に貼り付けた場合のヘルメット内部の輻射熱温度変化を測定したところ、次のような結果であり、ヘルメット内部に侵入する輻射熱を大幅に遮断する事が出来る。ヒーター８００Ｗを３５０ｍｍ離れた位置で、ヘルメット外側から温めた時の内部温度を放射温度計ＴＩＲ−３０８（トラスコ中山）で測定した結果である。
0003213610.tif 000003
【００３２】  同様に、図４に示した防熱シートｂを図５のようにヘルメットａの内側に貼り付けた場合のヘルメット内部の温度変化を測定したところ、次のような結果であり、ヘルメット内部温度上昇を大幅におさえることができる。
ヒーター８００Ｗを３５０ｍｍ離れた位置で、ヘルメット外側から温めた時の内部壁面より１５ｍｍ内側の空間付近の雰囲気温度を温度計ＡＤ−５６４６Ａ（エー・アンド・ディ）で測定した結果である。
0003213610.tif 000004
【００３３】  防熱素材は重ねて使用すると防熱効果は上がる。しかし、一重部分、二重部分が混在している状態では一重の性能と殆ど変わらない。防熱素材は、単なる一枚のシートのように見えるが、アルミニウム等高価な材料を使用している。また、積層構造で製造工程でも多くの資源エネルギーを使用している。省エネルギーの観点からも可能な限り無駄なく素材を均一に使用できる構造が好ましい。【００３４】  次に、炎天下におけるヘルメット内の温度上昇について補足的に説明する。防熱素材は、皺等によりヘルメット等の母材との隙間がなく密着させる事で高い反射率で輻射熱を撥ね返す本来の性能を発揮することができる。これは防熱素材と母材と輻射熱反射率の違いが影響している。防熱シートをヘルメットのプラスチックを母材として、該母材を挟んで輻射熱発生源である太陽と反対側のヘルメット内面側に設け、更に母材と防熱シートの間に空気層がある場合で説明する。太陽から発生した輻射熱は真空中の宇宙空間を電磁波として地球に降り注ぐが、この電磁波は真空中では熱エネルギーに変化することなく進むため、地球の大気に触れて初めて熱変換されて大気を温める。地球上の大気は電磁波を微量に反射するが、殆どがヘルメットのプラスチックである母材に降り注ぎ、プラスチックも輻射熱反射率が４０％前後であるので防熱シートに電磁波があたる。輻射熱反射率が９５％以上と高い防熱シートは電磁波を撥ね返すので、撥ね返った電磁波は再びヘルメットのプラスチックである母材にあたり温める。更に４０％前後の輻射熱反射は電磁波を再びヘルメットの内側に向けて撥ね返り防熱シートに再びあたる。母材と防熱シートの間に空気層がある場合、母材と防熱シートの間を行き来する電磁波で内部空気層を繰り返し温めることになる。従って防熱素材はヘルメット等の母材に空気層を設けることなく密着させることが、本来の機能を保つうえで好ましい。
【符号の説明】
【００３５】ａ…ヘルメット等
ｂ…防熱シート
ｂ１〜ｂ７…防熱シートブロック
ｃ１、ｃ２…防熱シートブロック
ｄ１、ｄ２…切り込み
【図１】
0003213610.tif 000005
【図２】
0003213610.tif 000006
【図３】
0003213610.tif 000007
【図４】
0003213610.tif 000008
【図５】
0003213610.tif 000009
【図６】
0003213610.tif 000010
【図７】
0003213610.tif 000011
【図８】
0003213610.tif 000012
【図９】
0003213610.tif 000013
【手続補正書】
【提出日】平成29年8月29日(2017.8.29)
【手続補正１】
【補正対象書類名】実用新案登録請求の範囲
【補正対象項目名】全文
【補正方法】変更
【補正の内容】
【実用新案登録請求の範囲】
【請求項１】
頭部を覆う帽子や笠やインナーキャップを含むヘルメットの内側および外側の少なくとも一方に貼り付ける頭部保護用防熱シートであって、当該防熱シートは電磁波である輻射熱を遮断する輻射熱遮断シートであることを特徴とする頭部保護用防熱シート。
【請求項２】
前記防熱シートは複数に分割された一組のシートブロックからなることを特徴とする請求項１記載の頭部保護用防熱シート。
【請求項３】
前記防熱シートの片面に粘着剤を塗布または両面テープを貼り付けたことを特徴とする請求項１又は２記載の頭部保護用防熱シート。
【請求項４】
前記防熱シートの端部の少なくても二か所以上に切り込みを設けたことを特徴とする請求項１乃至３のいずれか一項に記載の頭部保護用防熱シート。
【手続補正２】
【補正対象書類名】明細書
【補正対象項目名】全文
【補正方法】変更
【補正の内容】
【考案の詳細な説明】
【技術分野】
【０００１】  本考案はヘルメット等に貼り付けて頭部の温度上昇を抑制する頭部保護用防熱シートに関するものである。なお、本考案において、「ヘルメット等」とは頭部を覆う帽子や笠やインナーキャップ等を含めるものとする。
【背景技術】
【０００２】  従来から防熱素材は知られているが、これらは建築資材として用いられるものである。すなわち、比較的面積が大きい防熱素材を貼付け施工技能者が粘着剤を刷毛で塗布し家屋の壁に貼り付けるものであった。
【先行技術文献】
【特許文献】
【０００３】
【特許文献１】特開２０１４−４３７６２号
【考案の概要】
【考案が解決しようとしている課題】
【０００４】  ところで、炎天下での作業が余儀なくされる現場においては、熱中症による死亡事故が社会問題となっている。
【０００５】  平成２７年の職場での熱中症による死傷者（死亡・休業４日以上）は４６４人で建設業が最も多く１１人、次いで警備業で７人発生しており、この２業種で全体の約６割を占めている。（労働基準局安全衛生部労働衛生課）これは、両業種が炎天下での作業時間が他の産業よりも比較的長い事が要因である。
【０００６】  工事現場等の作業者はヘルメットを装着して作業を行うが、炎天下ではヘルメット内の温度が上昇するものである。この温度上昇する要因としては伝導・対流・輻射の三つがある。伝導・対流はヘルメット素材である樹脂が温まり、次いで空気層を温め頭部に至る熱の伝わり方である。一方、電磁波である輻射熱はヘルメットを突き抜けて直接人間の頭で熱となる。炎天下での防熱はこの輻射熱を遮断する事が重要である。
【０００７】  住宅や工場の壁や屋根に使われる前記の防熱素材として輻射熱遮断シートが使われており効果があることが知られているが（特許文献１）、ヘルメット等に使用するものでなかった。
本考案は、誰でも簡単にヘルメット等に貼付けることができ、頭部の温度上昇を抑制する頭部保護用防熱シートを提供することを目的とする。
【課題を解決するための手段】
【０００８】  請求項１の考案は、頭部を覆う帽子や笠やインナーキャップを含むヘルメットの内側および外側の少なくとも一方に貼り付ける頭部保護用防熱シートであって、当該防熱シートは電磁波である輻射熱を遮断する輻射熱遮断シートであることを特徴とする。
【０００９】  請求項２の考案の前記防熱シートは、複数に分割された一組のシートブロックからなることを特徴とする請求項１記載の頭部保護用防熱シートであることを特徴とする。
【００１０】  請求項３の考案の前記防熱シートの片面に粘着剤を塗布または両面テープを貼り付けたことを特徴とする請求項１又は２記載の頭部保護用防熱シートであることを特徴とする。
【００１１】  請求項４の考案の前記防熱シートの端部の少なくても二か所以上に切り込みを設けたことを特徴とする請求項１乃至３のいずれか一項に記載の頭部保護用防熱シートであることを特徴とする。
【考案の効果】
【００１２】  請求項１の考案は、頭部を覆う帽子や笠やインナーキャップを含むヘルメットの内側および外側の少なくとも一方に貼り付ける頭部保護用防熱シートとして、電磁波である輻射熱を遮断する輻射熱遮断シートを用いることで炎天下での主たるヘルメット内の温度上昇の要因である輻射熱を大幅に遮断する事が出来る効果がある。
【００１３】  請求項２の考案は、前記防熱シートが複数に分割された一組のシートブロックからなることで球体であるヘルメット等に材料無駄が少なく貼る事ができる効果がある。
【００１４】  請求項３の考案は、前記防熱シートの片面に粘着剤を塗布または両面テープを貼り付けたことで誰でも簡単にヘルメット等に貼り付ける事ができる効果がある。
【００１５】  請求項４の考案は、前記防熱シートの端部の少なくても二か所以上に切り込みを設けたことでヘルメット等の内側に皺や隙間の発生を少なく貼る事ができる効果がある。
【図面の簡単な説明】
【００１６】
【図１】本考案の頭部保護用防熱シートの第一の実施例を示すもので、防熱シートをヘルメット外側に貼り付けた状態を示す断面図である。
【図２】本考案の頭部保護用防熱シートの第二の実施例を示す図である。
【図３】図２に示した防熱シートを笠の内側に貼り付けた状態を示す斜視図である。
【図４】本考案の頭部保護用防熱シートの第三の実施例を示す図である。
【図５】図４に示した防熱シートをヘルメットの内側に貼付けた状態を示す図である。
【図６】本考案の頭部保護用防熱シートの第四の実施例を示す図である。
【図７】図６に示した防熱シートをヘルメットの外側に貼付けた状態を示す図である。
【図８】本考案の頭部保護用防熱シートの第五の実施例を示す図である。
【図９】図８に示した防熱シートをヘルメットの内側に貼付けた状態を示す図である。
【考案を実地するための形態】
【００１７】  以下、添付図面に従って本考案の防熱シートの一実施例を説明する。
【実施例】
【００１８】  図１に示すものでは、ヘルメットａの外側の表面積より大きな一枚の防熱シートｂを用意し、ヘルメット外側の形状に合わせて常温または加温プレス成型し、該シートｂの外周部をヘルメットａの外周形状に合わせてカットしたものを、ヘルメットａの外側に貼るようにしたものである。なお、図１のものに代えて、防熱シートｂを、ヘルメットａの内側に貼るようにしてもよい。この場合、防熱シートｂをヘルメット内側外周部面積よりも少ない面積で上記の成型を行うことにより、防熱シートｂの外周部のカット工程を無くすこともできる。【００１９】  本考案による頭部保護用防熱シートは、ヘルメットに限らないものであり、笠、帽子、インナーキャップ等の頭部を覆うものについても適用できるものである。笠を対象にした場合の該防熱シートの構造としては、例えば図２に示すように、長手方向４０ｃｍ、短方向３５ｃｍの長方形の長手方向の中心に折り目を付けた笠状の防熱シートとなる。そして、このシートｂを、図３に示すような笠の内側に貼付けることにより、高性能な日差し除けにすることもできる。なお、該シートｂは日差し除け母材の外側に設けることもできる。また、防熱シートｂは特許文献１のような構造で、輻射熱遮断機能を有するシートを用いる事が出来る。【００２０】  ヘルメット等の内側または外側またはその両面に貼る防熱シートｂを複数のシートブロックの組合せで構成するものについて説明する。この場合には、異形状と同一形状のシートブロック又はこれらの組合せが考えられる。異形状と同形状のシートブロックの組合せのものを図４に示す。それぞれ長方形状の２枚のシートブロックｂ１，ｂ２と、それぞれ凸形状で左右対称の２枚で１組のシートブロックｃ１，ｃ２とからなる。【００２１】  ブロックシートｃ１，ｃ２を凸形状としたのは頭の側面の形に対応させるためである。これらの組合せにより曲面であるヘルメット等の壁面にシート材料の無駄がなく均一に貼る事が出来る。図５にヘルメットの内側に貼付けた状態を示す。【００２２】  他の構造としては、ヘルメット等の空気孔に対応して防熱シートｂに穴や切り込みを設けることもできる。また、防熱シートｂの貼付け後に、該シートにヘルメットの空気孔に応じて穴をあける事も可能である。【００２３】  防熱シートｂとして、同一形状の複数のシートブロックの組合せで構成することもでき、この場合の実施例を図６に示す。三角形や紡錘形の真ん中の太い部分で半分にカットした形状のシートブロックを多数枚用意してヘルメット等の内側に貼るつけることもできる。図６の防熱シートｂ（シートブロック）をヘルメットａの外側に貼り付けた状態を示す実施例を図７に示す。【００２４】  他には、防熱シートｂとして、幅が例えば４ｃｍ、長さが例えば８ｃｍの長方形のシートブロックを多数枚用意し、それをヘルメット等に貼るようにすることもできる。また、防熱シートｂとして、図８に示すようなテープ状とし、図９に示すように、このテープ状の防熱シートｂを、ヘルメット等に貼る際に所定長さで適宜切って使用するようにしてもよい。【００２５】  防熱シートｂをヘルメット等に誰もが手軽に、容易に貼り付ける事が出来る構造としては、防熱シートｂの片面に粘着��と剥離紙をあらかじめ貼り付けた構成が考えられる。製造方法は防熱シートの片面にアクリル系粘着剤を塗布しながら、剥離紙を適度な圧力を加えながら巻き取る方法で粘着剤と剥離紙が該シートと一体化させることが出来る。【００２６】  ヘルメット等の内側または外側またはその両面に貼る防熱シートにおいて、曲面に貼る時に生じる皺や隙間を防止するようにした実施例について説明する。図４に示す長方形状の２枚のシートブロックｂ１，ｂ２と、それぞれ凸形状で左右対称の２枚で１組のシートブロックｃ１，ｃ２において、長方形シートブロックｂ１，ｂ２のそれぞれ長辺側両サイドには外側から内側に向けて幅方向に切り込みｄ１が設けられている。また、凸形状のシートブロックｃ１，ｃ２の長辺側直線状の両サイドにも外側から内側に向けて切り込みｄ２が設けられている。これらの切り込みにより人間の頭部を覆う曲面の構造物であるヘルメット等の曲壁面に貼り付ける時、皺や隙間の発生を少なくすることができる。
なお、各シートブロックｂ１，ｂ２，ｃ１，ｃ２の大きさや切り込みｄ１，ｄ２の本数、長さは対象とするヘルメット等の大きさ、形に応じて変えることができる。ここで、シートブロックｂ１，ｂ２，ｃ１，ｃ２として、例えば前記特許文献１に開示されているような遮熱板材やアルミニウム薄膜シートと不織布シートを積層したものを用いることができる。しかし、本考案はこれに限定されるものではなく、輻射熱反射機能を有するものであればよい。なお、各シートブロックｂ１，ｂ２，ｃ１，ｃ２の裏面には粘着剤を塗布した粘着シートが貼り付けられている。【００２７】  図５はヘルメットの内側から見た図面で、ａはヘルメット、ｂ１は図４のｂ１、ｂ２は図４のｂ２、ｃ１は図４のｃ１、ｃ２は図４のｃ２でそれぞれをヘルメット裏面に貼った状態を示す。これら防熱シートは球面であるヘルメットの内面に隙間なく貼付けできるようにした外形である。【００２８】  図５を参照して、図４に示したシートブロックｂ１，ｂ２，ｃ１，ｃ２をヘルメット等の内側にどのように貼り付けていくかを詳しく説明する。それぞれ長方形状の２枚のシートブロックｂ１，ｂ２のうち、先ずｂ１をヘルメットａ内面の頂点を起点に日差し除け側に向けて貼り付ける。同様に、ｂ２を、該頂点を起点にヘルメットａの後側に向けて貼り付ける。それぞれ長方形状の２枚のシートブロックｂ１，ｂ２の貼り付け後の両サイドの外形は弓形線となる。次に、それぞれ凸形状で左右対称の２枚で１組のシートブロックｃ１，ｃ２のうちのｃ１を、その凸形状上側の短い方の辺部分が前記弓形線の左右どちらかに沿うようにし、かつ、該凸形状右上角、左上角の両方の窪みが前記長方形の日除け側と後方側の角部に嵌合する様に貼り付ける。次にｃ２をシートブロックｃ１の反対側に同様に貼り付ける。これは球面であるヘルメット等の内面に隙間なく貼付けできるようにした手順である。【００２９】  図４に示した防熱シートｂを図５のようにヘルメットａの内側に貼り付けた場合のヘルメット内部の輻射熱温度変化を測定したところ、次のような結果であり、ヘルメット内部に侵入する輻射熱を大幅に遮断する事が出来る。ヒーター８００Ｗを３５０ｍｍ離れた位置で、ヘルメット外側から温めた時の内部温度を放射温度計ＴＩＲ−３０８（トラスコ中山）で測定した結果である。
0003213610.tif 000014
【００３０】  同様に、図４に示した防熱シートｂを図５のようにヘルメットａの内側に貼り付けた場合のヘルメット内部の温度変化を測定したところ、次のような結果であり、ヘルメット内部温度上昇を大幅におさえることができる。
ヒーター８００Ｗを３５０ｍｍ離れた位置で、ヘルメット外側から温めた時の内部壁面より１５ｍｍ内側の空間付近の雰囲気温度を温度計ＡＤ−５６４６Ａ（エー・アンド・ディ）で測定した結果である。
0003213610.tif 000015
【００３１】  防熱素材は重ねて使用すると防熱効果は上がる。しかし、一重部分、二重部分が混在している状態では一重の性能と殆ど変わらない。防熱素材は、単なる一枚のシートのように見えるが、アルミニウム等高価な材料を使用している。また、積層構造で製造工程でも多くの資源エネルギーを使用している。省エネルギーの観点からも可能な限り無駄なく素材を均一に使用できる構造が好ましい。【００３２】  次に、炎天下におけるヘルメット内の温度上昇について補足的に説明する。防熱素材は、皺等によりヘルメット等の母材との隙間がなく密着させる事で高い反射率で輻射熱を撥ね返す本来の性能を発揮することができる。これは防熱素材と母材と輻射熱反射率の違いが影響している。防熱シートをヘルメットのプラスチックを母材として、該母材を挟んで輻射熱発生源である太陽と反対側のヘルメット内面側に設け、更に母材と防熱シートの間に空気層がある場合で説明する。太陽から発生した輻射熱は真空中の宇宙空間を電磁波として地球に降り注ぐが、この電磁波は真空中では熱エネルギーに変化することなく進むため、地球の大気に触れて初めて熱変換されて大気を温める。地球上の大気は電磁波を微量に反射するが、殆どがヘルメットのプラスチックである母材に降り注ぎ、プラスチックも輻射熱反射率が４０％前後であるので防熱シートに電磁波があたる。輻射熱反射率が９５％以上と高い防熱シートは電磁波を撥ね返すので、撥ね返った電磁波は再びヘルメットのプラスチックである母材にあたり温める。更に４０％前後の輻射熱反射は電磁波を再びヘルメットの内側に向けて撥ね返り防熱シートに再びあたる。母材と防熱シートの間に空気層がある場合、母材と防熱シートの間を行き来する電磁波で内部空気層を繰り返し温めることになる。従って防熱素材はヘルメット等の母材に空気層を設けることなく密着させることが、本来の機能を保つうえで好ましい。
【符号の説明】
【００３３】    ａ…ヘルメット等
ｂ…防熱シート
ｂ１〜ｂ７…防熱シートブロック
ｃ１、ｃ２…防熱シートブロック
ｄ１、ｄ２…切り込み